(57)【要約】      （修正有）【課題】隔離効果に優れた膜片式排水口装置の提供。【解決手段】メインシートと濾過蓋間に隔離装置が固定され、隔離装置がベース、膜片、弾性部品、ゴムリング及びゴム輪で構成され、ベースは盤状体とされて外周の大径の板型環と、中央に穿孔を具えた小径のＵ型受筒を具えてその間が複数のリブで接続され、板型環の内側下側に下向きの凸壁が設けられ、凸壁とＵ型受筒の間の中空部分が膜片で封じられ、膜片がゴム質環形薄片とされ、膜片にベースに対応する凸柱が設けられて挿着され、膜片の周囲が上向きに凸壁底端に圧接され、ゴムリングがベース外周に密着する内側の環体を具え、隔離装置が直接周知の排水口装置のメインシートの漏斗型受け孔中に取り付けられ、濾過蓋が閉じられて並びに位置決め部品で固定されることで隔離効果に優れた膜片式排水口装置が構成される。【選択図】図２
0003109892.tif 000002
【実用新案登録請求の範囲】
【請求項１】
排水口装置のメインシートの内部受け孔と濾過蓋間に隔離装置が固定されてなる膜片式排水口装置において、該隔離装置が略盤状体を呈するベースを具え、該ベースは外周に設けられた板型環と中央に穿孔を具えた小径のＵ型受筒とを具え、該Ｕ型受筒と濾過蓋間に弾性部品が設けられ、且つ該Ｕ型受筒と板型環の間が少なくとも一つのリブで一体に接続され、該板型環の内側下側に下向きに凸壁が凸設され、ゴム質環形薄片である膜片が、該板型環とＵ型受筒の下方に取り付けられ、並びに常態で板型環とＵ型受筒の間の穿孔を封鎖し、且つ水圧を受ける時、膜片の外縁が下降して凸壁と分離して排水開孔を形成し、排水完了後に上述の封鎖の状態に回復するよう形成されたことを特徴とする、膜片式排水口装置。
【請求項２】
請求項１記載の膜片式排水口装置において、ゴムリングがベースの板型環の外周に嵌合されてメインシートの内壁にあって板型環を包囲することを特徴とする、膜片式排水口装置。
【請求項３】
請求項１記載の膜片式排水口装置において、弾性部品とＵ型受筒の間にゴム輪がパッキングされたことを特徴とする、膜片式排水口装置。
【請求項４】
請求項１乃至３のいずれかに記載の膜片式排水口装置において、膜片にベースに向けて凸柱が形成され、ベースに該凸柱に対応し該凸柱に嵌合される小軸筒が設けられたことを特徴とする、膜片式排水口装置。
【請求項５】
請求項４記載の膜片式排水口装置において、小軸筒がリブに形成されたことを特徴とする、膜片式排水口装置。
【請求項６】
請求項１乃至３のいずれかに記載の膜片式排水口装置において、板型環の外周にエッジ型斜面が形成され、Ｕ型受筒外周に階層受縁が形成され、凸壁の内側下端に階層含縁が形成されたことを特徴とする、膜片式排水口装置。
【請求項７】
請求項１乃至３のいずれかに記載の膜片式排水口装置において、膜片の中央に穿孔が設けられ、且つその内側及び外側の少なくとも一方に凸環が設けられたことを特徴とする、膜片式排水口装置。
【請求項８】
請求項２記載の膜片式排水口装置において、ゴムリングの内側に凹溝が設けられ、該凹溝がベースの板型環外側の形状に対応して嵌合する断面を有するよう形成され、その環体下端外側に排水口装置のメインシートの漏斗型受け孔の内側斜面に嵌合する斜面が設けられたことを特徴とする、膜片式排水口装置。
【請求項９】
請求項１乃至３のいずれかに記載の膜片式排水口装置において、隔離装置とメインシート内部の受け孔の間に、支持部品が増設されて隔離装置を支持して所定高度に保持することを特徴とする、膜片式排水口装置。
【考案の詳細な説明】
【技術分野】
【０００１】
本考案は一種の膜片式排水口装置に係り、特に、内部に一組の隔離装置が取り付けられて、防臭と防虫の機能を具えた膜片式排水口装置に関する。
【背景技術】
【０００２】
特許文献１記載の排水口装置は防臭機能を具えている。しかし、その防臭構造設計は、排水口装置固定座の収集孔周囲に上向きに延伸されたアーチ形の中空のカバーが設けられ、排水口装置の底面に、下向きに延伸された一側が碗状の碗体が設けられてなる。これにより取り付け使用時に、該固定座のカバー外側とその内側のテーパ形漏面間に排水された水が溜まり、それが排水口装置下側の逆碗形碗体を覆い、これにより排水管中の臭気を上向きに室内へと進入させないようにし、防臭の機能を有する。ただし、この排水口装置は排水動作を行なう時、水は先ずテーパ形漏面中に溜まり、該カバーより溢れた後でなければカバー中央の穿孔より排水管に排出されない。このためこの設計は排水動作が不順調となりやすい。且つカバー外側とテーパ形漏面間に水垢やゴミが溜まりやすく、臭いを発生し、厳重な時は排水を遮断する情況を有する。ゆえに、防臭機能を有するとはいえ、却って厳重な排水不良を形成する欠点があり、実用的でない。
【０００３】
別に特許文献２に記載の弁膜式排水口装置は、濾過蓋と底座の漏斗形凹溝間に、弾性プラスチック弁膜が取り付けられてなる。該弾性プラスチック弁膜に濾過蓋の各濾過孔に対応する各弁膜間に、それぞれ幅広の間隙が設けられ、中央にも大きな穿孔が保留されている。濾過蓋を底座中に取り付ける時、各濾過孔の下面と緊密に接合しない。これにより、取り付け使用時は完全導通状態を呈し且つ遮蔽の状態がないが、防臭の機能がなく、排水管中の無視が各弁膜の間隙とその中央の穿孔を通り、地上に這い上がり室内に進入し、防虫機能を有さない。ゆえに理想的な実用機能を達成できない。
【０００４】
【特許文献１】台湾特許公告第２１０６８７号明細書
【特許文献２】台湾特許公告第２８７５６７号明細書
【考案の開示】
【考案が解決しようとする課題】
【０００５】
本考案は上述の周知の排水口装置がいずれも確実に防臭と防虫の機能を完備していないことを鑑み、その両方の機能を具えた排水口装置を提供することを目的とする。
【課題を解決するための手段】
【０００６】
請求項１の考案は、排水口装置のメインシートの内部受け孔と濾過蓋間に隔離装置が固定されてなる膜片式排水口装置において、該隔離装置が略盤状体を呈するベースを具え、該ベースは外周に設けられた板型環と中央に穿孔を具えた小径のＵ型受筒とを具え、該Ｕ型受筒と濾過蓋間に弾性部品が設けられ、且つ該Ｕ型受筒と板型環の間が少なくとも一つのリブで一体に接続され、該板型環の内側下側に下向きに凸壁が凸設され、ゴム質環形薄片である膜片が、該板型環とＵ型受筒の下方に取り付けられ、並びに常態で板型環とＵ型受筒の間の穿孔を封鎖し、且つ水圧を受ける時、膜片の外縁が下降して凸壁と分離して排水開孔を形成し、排水完了後に上述の封鎖の状態に回復するよう形成されたことを特徴とする、膜片式排水口装置としている。
請求項２の考案は、請求項１記載の膜片式排水口装置において、ゴムリングがベースの板型環の外周に嵌合されてメインシートの内壁にあって板型環を包囲することを特徴とする、膜片式排水口装置としている。
請求項３の考案は、請求項１記載の膜片式排水口装置において、弾性部品とＵ型受筒の間にゴム輪がパッキングされたことを特徴とする、膜片式排水口装置としている。
請求項４の考案は、請求項１乃至３のいずれかに記載の膜片式排水口装置において、膜片にベースに向けて凸柱が形成され、ベースに該凸柱に対応し該凸柱に嵌合される小軸筒が設けられたことを特徴とする、膜片式排水口装置としている。
請求項５の考案は、請求項４記載の膜片式排水口装置において、小軸筒がリブに形成されたことを特徴とする、膜片式排水口装置としている。
請求項６の考案は、請求項１乃至３のいずれかに記載の膜片式排水口装置において、板型環の外周にエッジ型斜面が形成され、Ｕ型受筒外周に階層受縁が形成され、凸壁の内側下端に階層含縁が形成されたことを特徴とする、膜片式排水口装置としている。
請求項７の考案は、請求項１乃至３のいずれかに記載の膜片式排水口装置において、膜片の中央に穿孔が設けられ、且つその内側及び外側の少なくとも一方に凸環が設けられたことを特徴とする、膜片式排水口装置としている。
請求項８の考案は、請求項２記載の膜片式排水口装置において、ゴムリングの内側に凹溝が設けられ、該凹溝がベースの板型環外側の形状に対応して嵌合する断面を有するよう形成され、その環体下端外側に排水口装置のメインシートの漏斗型受け孔の内側斜面に嵌合する斜面が設けられたことを特徴とする、膜片式排水口装置としている。
請求項９の考案は、請求項１乃至３のいずれかに記載の膜片式排水口装置において、隔離装置とメインシート内部の受け孔の間に、支持部品が増設されて隔離装置を支持して所定高度に保持することを特徴とする、膜片式排水口装置としている。
【考案の効果】
【０００７】
本考案の膜片式排水口装置は、メインシートと濾過蓋間に隔離装置が固定されて構成される。該隔離装置は、ベース、膜片、弾性部品、ゴムリング及びゴム輪で構成される。そのうち、該ベースは盤状体とされて外周に設けられた大径の板型環と、中央に穿孔を具えた小径のＵ型受筒を具えてその間が複数のリブで接続されている。該板型環の内側下側に下向きの凸壁が設けられ、該凸壁とＵ型受筒の間の通水孔部分が膜片で封じられている。該膜片はゴム質環形薄片とされ、且つ該膜片にベースに対応する凸柱が設けられて挿着され、並びに膜片の周囲が上向きに凸壁底端に圧接される。該ゴムリングはベース外周に密着するのに適合する内側の環体を具えている。これにより、膜片の凸柱がベースの小軸筒中に挿入され、更にゴムリングがベースの板型環の外周に嵌合され、該ゴム輪と弾性部品が順に該ベースのＵ型受筒中に取り付けられ、該隔離装置の取り付けが完成する。並びに該隔離装置が排水口装置のメインシートの漏斗型受け孔中に取り付けられ、更に濾過蓋が閉じられて並びに位置決め部品で固定されることで本考案の膜片式排水口装置が構成される。該排水口装置は膜片の極めて良好な弾性力により凸壁とＵ型受筒間の穿孔を弾性封鎖し、これにより防虫と防臭の作用を達成する。
【考案を実施するための最良の形態】
【０００８】
図１に示されるように本考案の排水口装置はメインシート１と濾過蓋２の間に、位置決め部品４で隔離装置３が固定されて構成される。該隔離装置３は図２に示されるように、ベース３１、膜片３２、弾性部品３３、ゴムリング３４等の部品で構成される。そのうち、該ベース３１はプラスチック材料で形成されて盤状体３１０を呈し、それは外周に設けられた大径の板型環３１１と、中央に穿孔３１４を具えた小径のＵ型受筒３３２を具え、少なくとも一つのリブ３１３が板型環３１１とＵ型受筒３１２を接続して構成されている。該板型環３１１の内側下側に下向きに凸壁３１７が設けられ、該板型環３１１とＵ型受筒３１２の外周の間の貫通エリアに、該膜片３２が嵌合される。該膜片３２は高い強度と柔軟な弾性及び耐候性を具えたゴム或いは軟性ゴムが一体成形されてなり、それは中央に穿孔３２１を具えたゴム質環形薄片３２０を具え、且つ該薄片３２０にベース３１に設けられた軸孔３１５に対応する凸柱３２２が設けられている。該凸柱３２２が該軸孔３１５中に挿入されることで、膜片３２がベース３１の下方に結合され、且つ該軸孔３１５は上述のリブ３１３に設けられ、凸柱３２２は該軸孔３１５に向けて直立する柱状体とされ、凸柱３２２の末端近くに係止３２３が設けられ、凸柱３２２が軸孔３１５に挿入された後の係止位置決め作用を形成する。並びに薄片３２０の中央の穿孔３２１の内側部分が、挿入結合時にちょうどベース３１中央のＵ型受筒３１２下端に対応し、且つ穿孔３２１の外周がベース３１の凸壁３１７の下端部分に接合され、これにより該Ｕ型受筒３１２下端と凸壁３１７下端の間の通水孔３１６（即ち前述の貫通エリア）を封じる。
【０００９】
また、ゴムリング３４は、弾性と耐候性を具えたゴム或いは軟性プラスチックで一体成形されたゴム質環体とされ、該ゴムリング３４の内側にベース３１の板型環３１１外周と結合される凹溝３４１が設けられて、ベース３１の板型環１１外周との嵌合に用いられる。
【００１０】
該弾性部品３３は、バネ形式で濾過蓋２内面とベース３１の間に圧接される。該ゴム輪３５は（図５のように）ワッシャ型パッキングとされてベース３１のＵ型受筒３１２中に取り付けられて該弾性部品３３底端を支持し並びに位置決め部品４を締めつける。組合せ完成後に、ベース３１は濾過蓋２及び弾性部品３３の制圧を受け、全体の隔離装置３が緊密にメインシート１の漏斗形受け孔１１中に固定され（図１）、ゆるみ或いは位置ずれの現象を発生しない。
【００１１】
また、本考案の隔離装置３の膜片３２はベース３１に嵌合され、並びに緊密に接合されるほか、該Ｕ型受筒３１２の外周及び凸壁３１７下端内に、それぞれ階層受縁３１９と階層含縁３１８が設けられ、膜片３２中央の穿孔３２１と外周に嵌合される。更に、該膜片３２の環形薄片３２０の強度と応力を増してその弾性を疲労させにくくするため、更にその穿孔３２１内周と外周に、凸環３２４及び３２５が凸設される。ゴムリング３４をベース３１の板型環３１１の外周に嵌合しやすくし、隔離装置３をメインシート１の漏斗型受け孔１１中に安定して設置するため、該板型環３１１の外周がエッジ型斜面とされ、並びにゴムリング３４の凹溝３４１が対応する横Ｖ形の凹溝に形成され、及び、ゴム質環体３４０下端が漏斗型受け孔１１内側斜面に対応する斜面に形成される。
【００１２】
本考案の取り付け後の使用については図３及び図４を参照されたい。本考案の膜片式排水口装置は、取り付け完成して未排水動作状態の時、図３に示されるように、その隔離装置３中の膜片３２がベース３１のＵ型受筒３１２及び凸壁３１７の下方に密接に嵌合されている。また、固定用の位置決め部品４が更に隔離装置３中のゴム輪３５により緊束されていれば、Ｕ型受筒３１２の穿孔３１４部分もまた完全な気密の状態を形成し、ゆえに完全に臭気を遮断し、さらに、虫が本考案の膜片式排水口装置を通り室内に進入するのを確実に遮断できる。
【００１３】
水が濾過蓋２より排水口装置中に進入する時、水の重量の助けにより、隔離装置３の膜片３２の環形薄片３２０外周にアーチ形下垂の現象が発生し（図４に示される状態）、該膜片３２とベース３１の凸壁３１７間に間隙Ｔが形成され、水が該間隙Ｔを通り排水管に進入し排出される。進入する水がなくなると、膜片３２自身の材料弾性応力と、膜片３２外周と通水孔３１６の内周間の余った水の内集力により、膜片３２の外周縁が上向きに跳ね返りベース３１の凸壁３１７下端部分に緊密に嵌合する状態に回復し、常態で通水孔３１６を閉鎖する動作常態を保持する。
【００１４】
図５及び図６は別の二種類の本考案の可能な実施例を示し、そのうち図５に示されるものの、図１から図４に示される実施例との主要な差異点は、即ち、ベース３１上のリブ３１３が異なる形態の設計とされたことであり、その他は同じである。また図６には本考案が受け孔１１Ａが比較的深いメインシート１Ａに応用される実施例が示され、受け孔１１Ａ中に支持部品５が増設され、これにより隔離装置３に対して強固な支持を発生する。
【図面の簡単な説明】
【００１５】
【図１】本考案の実施例の立体図である。
【図２】本考案の立体分解図である。
【図３】本考案の取り付け後に、未落水状態の時の断面図である。
【図４】本考案の取り付け後に、落水状態の時の断面図である。
【図５】本考案の別の実施例の立体分解図である。
【図６】本考案を深い受け孔の排水口装置に応用した実施例の立体分解図である。
【符号の説明】
【００１６】
１  メインシート
２  濾過蓋
３  隔離装置
４  固定部品
５  支持部品
１１  受け孔
Ｔ  間隙
３１  ベース
３２  膜片
３３  弾性部品
３４  ゴムリング
３５  ゴム輪
３１０  盤状体
３１１  板型環
３１２  Ｕ型受筒
３１３  リブ
３１４  穿孔
３１５  軸孔
３１６  通水孔
３１７  凸壁
３１８  階層含縁
３１９  階層受縁
３２０  薄片
３２１  穿孔
３２２  凸柱
３２３  係止リング
３２４、３２５  凸環
３４１  凹溝
【図１】
0003109892.tif 000003
【図２】
0003109892.tif 000004
【図３】
0003109892.tif 000005
【図４】
0003109892.tif 000006
【図５】
0003109892.tif 000007
【図６】
0003109892.tif 000008